(57)【要約】【課題】目隠しとして把手を使用する必要がなく、採光可能な且つプライバシーを保護することができる採光建築材を提供する。【解決手段】採光建築材は、表面及び裏面を有し、表裏方向に貫通した開口を有する面部材と、前記面部材に平行な方向に窪んだ凹部を有し、前記開口の内側面に取り付けられる透光性部材と、前記凹部に嵌合しており、前記開口の内側領域を全体的に覆う遮光部材とを備える。好ましくは、前記透光性部材は前記開口の内側面に沿って延びており、前記凹部は前記透光性部材に沿って延びる溝状をなす。【選択図】図２
2020023799.tif 000002
【特許請求の範囲】
【請求項１】
表面及び裏面を有し、表裏方向に貫通した開口を有する面部材と、
前記面部材に平行な方向に窪んだ凹部を有し、前記開口の内側面に取り付けられる透光性部材と、
前記凹部に嵌合しており、前記開口の内側領域を全体的に覆う遮光部材と
を備える採光建築材。
【請求項２】
前記透光性部材は前記開口の内側面に沿って延びており、
前記凹部は前記透光性部材に沿って延びる溝状をなす
請求項１に記載の採光建築材。
【請求項３】
前記透光性部材の外面に不透明なカバーが設けられている
請求項１又は２に記載の採光建築材。
【請求項４】
前記凹部の内面に不透明な第２カバーが設けられている
請求項１から３のいずれか一つに記載の採光建築材。
【請求項５】
前記開口の内側面に第２凹部が形成されており、
前記開口の内側面が面一になるように、前記透光性部材は前記第２凹部に嵌合している
請求項１から４のいずれか一つに記載の採光建築材。
【請求項６】
前記透光性部材を保持する保持部材が前記開口の内側面に取り付けられている
請求項１から４のいずれか一つに記載の採光建築材。
【請求項７】
前記透光性部材に対向配置された光源を備える
請求項１から６のいずれか一つに記載の採光建築材。
【発明の詳細な説明】
【技術分野】
【０００１】
本技術は、採光建築材、即ち採光可能な建築材（例えば建具又は間仕切り壁）に関する。
【背景技術】
【０００２】
従来、表裏方向に貫通しており、把手に対向配置された小窓と、該小窓に配置された透光性を有するパネルとを備えるドアが提案されている。小窓は把手に対向しているので、小窓を通して室内を直接視認することはできず、間接的な採光を行い且つプライバシー保護を図ることができる（特許文献１参照）。
【先行技術文献】
【特許文献】
【０００３】
【特許文献１】特開２０１２−９７４３２号公報
【発明の概要】
【発明が解決しようとする課題】
【０００４】
前記ドアは目隠しとして把手を使用しているが、把手の仕様によっては、目隠しとして使用することができない。
【０００５】
本開示は斯かる事情に鑑みてなされたものであり、目隠しとして把手を使用する必要がなく、採光可能な且つプライバシーを保護することができる採光建築材を提供することを目的とする。
【課題を解決するための手段】
【０００６】
本開示に係る採光建築材は、表面及び裏面を有し、表裏方向に貫通した開口を有する面部材と、前記面部材に平行な方向に窪んだ凹部を有し、前記開口の内側面に取り付けられる透光性部材と、前記凹部に嵌合しており、前記開口の内側領域を全体的に覆う遮光部材とを備える。
【０００７】
本開示においては、遮光部材が開口の内側領域を全体的に覆い、外部からの視認を防止する。また透光性部材を通って、遮光部材を迂回するように光が通過し、面部材の表側又は裏側に照射される。
【０００８】
本開示に係る採光建築材は、前記透光性部材は前記開口の内側面に沿って延びており、前記凹部は前記透光性部材に沿って延びる溝状をなす。
【０００９】
本開示においては、溝状をなす凹部に遮光部材が嵌合することによって、遮光部材はより確実に透光性部材に支持される。
【００１０】
本開示に係る採光建築材は、前記透光性部材の外面に不透明なカバーが設けられている。
【００１１】
本開示においては、透光性部材の外面に不透明なカバーを設けることによって、透光性部材の外面を、接着剤を介して面部材に接着させる場合に、透光性部材を通して接着剤が視認されず、外観意匠性の悪化を防止することができる。
【００１２】
本開示に係る採光建築材は、前記凹部の内面に不透明な第２カバーが設けられている。
【００１３】
本開示においては、凹部の内面に不透明な第２カバーを設けることによって、遮光部材を、接着剤を介して凹部に接着させる場合に、透光性部材を通して接着剤が視認されず、外観意匠性の悪化を防止することができる。
【００１４】
本開示に係る採光建築材は、前記開口の内側面に第２凹部が形成されており、前記開口の内側面が面一になるように、前記透光性部材は前記第２凹部に嵌合している。
【００１５】
本開示においては、透光性部材は開口の内側に向けて突出していないので、外観意匠性を向上させることができる。
【００１６】
本開示に係る採光建築材は、前記透光性部材を保持する保持部材が前記開口の内側面に取り付けられている。
【００１７】
本開示においては、保持部材を開口に設けることによって、透光性部材を保持するために、開口の内側面を加工する必要がなくなる。
【００１８】
本開示に係る採光建築材は、前記透光性部材に対向配置された光源を備える。
【００１９】
本開示においては、例えば光源として使用される室内の照明を消灯させた場合でも、透光性部材に対向配置された光源から光を照射させることによって、採光を実現することができ、採光のために、室内の照明を点灯させる必要がなくなる。
【発明の効果】
【００２０】
本開示に係る採光建築材にあっては、遮光部材が開口の内側領域を全体的に覆い、外部からの視認を防止し、プライバシー保護を図ることができる。また透光性部材を通って、遮光部材を迂回するように光が通過し、面部材の表側又は裏側に照射され、間接的な採光が可能となる。
【図面の簡単な説明】
【００２１】
【図１】実施の形態１に係るドアを略示する前面図である。
【図２】図１に示すＩＩ−ＩＩ線を切断線とした略示拡大部分平面断面図である。
【図３】ドアの上部における略示分解斜視図である。
【図４】ドアの上部における部分拡大縦断面図である。
【図５】左側のドアパネルにおける透光性部材と嵌合凹部との接着を説明するための略示部分拡大平面断面図である。
【図６】左側のドアパネルにおける透光性部材と遮光パネルとの接着を説明するための略示部分拡大平面断面図である。
【図７】光源を後側に配置したドアを略示する平面断面図である。
【図８】光源を後側に配置したドアを略示する前面図である。
【図９】実施の形態２に係るドアを略示する前面図である。
【図１０】図９に示すＸ−Ｘ線を切断線とした略示拡大部分平面断面図である。
【図１１】実施の形態３に係るドアの上部における部分拡大縦断面図である。
【図１２】その他の採光のための手段を備えたドアの略示拡大部分平面断面図である。
【発明を実施するための形態】
【００２２】
（実施の形態１）
以下本発明を実施の形態１に係るドア１を示す図面に基づいて説明する。以下の説明では図に示す上下前後左右を使用する。図１は、ドア１を略示する前面図、図２は、図１に示すＩＩ−ＩＩ線を切断線とした略示拡大部分平面断面図、図３は、ドア１の上部における略示分解斜視図、図４は、ドア１の上部における部分拡大縦断面図である。
【００２３】
図１及び図２に示すように、ドア１は、間を空けて左右に並んだ二つのドアパネル２を備える。ドアパネル２は上下に延びた矩形状をなし、前面及び後面を有する。二つのドアパネル２の間に開口８が形成されている。左側のドアパネル２の前面に取手２ａが設けられている。ドアパネル２は、上下に延びた矩形状の板部材３と、該板部材３の前面及び後面それぞれに取り付けられた化粧板４とを備える。
【００２４】
右側のドアパネル２において、板部材３の左側面に嵌合凹部３ａが形成されている。嵌合凹部３ａは上下に延びる溝状をなす。嵌合凹部３ａは平面視矩形状をなす。嵌合凹部３ａには、透光性部材６が嵌合している。透光性部材６は上下に延びた矩形状をなす。透光性部材６の左部は板部材３の左側面よりも左側に突出している。透光性部材６の左側面に凹部６ａが形成されている。凹部６ａは上下に延びる溝条をなす。凹部６ａは平面視矩形状をなす。
【００２５】
透光性部材６よりも前側において、化粧板４及び板部材３の左側面に化粧板５が取り付けられている。また透光性部材６よりも後側において、化粧板４及び板部材３の左側面に化粧板５が取り付けられている。前記二つの化粧板５、５に左側面と、凹部６ａの前側及び後側それぞれに配置された透光性部材６の左側面とは略面一になっている。前記透光性部材６の左側面は、開口８の内側に向けて露出した露出面６ｂを構成する。露出面６ｂと、化粧板５の左側面とは開口８の内側面に含まれる。
【００２６】
左側のドアパネル２において、板部材３の右側面に嵌合凹部３ａが形成されている。嵌合凹部３ａは上下に延びる溝状をなす。嵌合凹部３ａは平面視矩形状をなす。嵌合凹部３ａには、透光性部材６が嵌合している。透光性部材６は上下に延びた矩形状をなす。透光性部材６の右部は板部材３の右側面よりも右側に突出している。透光性部材６の右側面に凹部６ａが形成されている。凹部６ａは上下に延びる溝条をなす。凹部６ａは平面視矩形状をなす。
【００２７】
透光性部材６よりも前側において、化粧板４及び板部材３の右側面に化粧板５が取り付けられている。また透光性部材６よりも後側において、化粧板４及び板部材３の右側面に化粧板５が取り付けられている。前記二つの化粧板５、５の右側面と、凹部６ａの前側及び後側それぞれに配置された透光性部材６の右側面とは略面一になっている。前記透光性部材６の右側面は、開口８の内側に向けて露出した露出面６ｂを構成する。露出面６ｂと、化粧板５の右側面とは開口８の内側面に含まれる。
【００２８】
左右の透光性部材６それぞれに形成された凹部６ａに遮光パネル７が嵌合している。遮光パネル７は上下に延びた矩形状をなし、前面及び後面を有する。遮光パネル７は開口８の内側領域全体に配置されている。そのため、開口８を通して、前後方向に視認することはできない。
【００２９】
図３に示すように、右側のドアパネル２において、板部材３の上端面の左端部分に、左右に延びる挿入凹部３ｂが形成されている。挿入凹部３ｂは下側に窪んでおり、その左部分が嵌合凹部３ａに連なっている。左側のドアパネル２において、板部材３の上端面の右端部分に、左右に延びる挿入凹部３ｂが形成されている。挿入凹部３ｂは下側に窪んでおり、その右部分が嵌合凹部３ａに連なっている。
【００３０】
挿入凹部３ｂには連結部材９が挿入されている。連結部材９は、左右に延びた角筒状をなす。連結部材９の上面部において、左部及び右部それぞれに、ねじ１０を挿入するための上下に貫通した三つの挿入孔９ａが形成されている。三つの挿入孔９ａは左右に並ぶ。連結部材９の下面部には左右に延びたスリット９ｂが形成されている。
【００３１】
図４に示すように、挿入孔９ａは、右側及び左側の板部材３の上端面に対向し、挿入孔９ａに挿入されたねじ１０によって、連結部材９と板部材３とが連結され、左右のドアパネル２が連結される。遮光パネル７の上端部はスリット９ｂに挿入され、連結部材９の内側に配置されている。なお、ドアパネル２の下端面を連結部材９によって、連結してもよい。
【００３２】
図５は、左側のドアパネル２における透光性部材６と嵌合凹部３ａとの接着を説明するための略示部分拡大平面断面図である。図５に示すように、左側のドアパネル２において、嵌合凹部３ａの内面に接着剤１３が設けられている。透光性部材６の外面、即ち、左側面、前面及び後面に、不透明カバー１１が設けられている。不透明カバー１１は、例えば、不透明な塗料、樹脂部材又はシートによって構成されている。不透明カバー１１は、例えば白色に着色されている。透光性部材６と不透明カバー１１とは、樹脂部材の二色成型によって構成されていてもよい。透光性部材６は嵌合凹部３ａに嵌合し、接着剤１３によって接着されている。不透明カバー１１を設けているので、透光性部材６を通して接着剤１３が視認されることはない。なお右側のドアパネル２においても、左側のドアパネル２と同様に、透光性部材６の外面に不透明カバー１１が設けられ、接着剤１３によって嵌合凹部３ａに接着されている。
【００３３】
図６は、左側のドアパネル２における透光性部材６と遮光パネル７との接着を説明するための略示部分拡大平面断面図である。図６に示すように、左側のドアパネル２において、凹部６ａの内面に第２不透明カバー１２が設けられている。第２不透明カバー１２は、例えば、不透明な塗料、樹脂部材又はシートによって構成されている。第２不透明カバー１２は、例えば白色に着色されている。透光性部材６と第２不透明カバー１２とは、樹脂部材の二色成型によって構成されていてもよい。なお透光性部材６、不透明カバー１１及び第２不透明カバー１２は三色成型によって構成されていてもよい。
【００３４】
第２不透明カバー１２に接着剤１４が重ねて設けられている。遮光パネル７の左端部は、凹部６ａに嵌合しており、接着剤１４によって接着されている。第２不透明カバー１２を設けているので、透光性部材６を通して、第２不透明カバー１２に重ねて設けられた接着剤１４が視認されることはない。なお右側のドアパネル２においても、左側のドアパネル２と同様に、凹部６ａの内面に第２不透明カバー１２及び接着剤１４が設けられ、遮光パネル７の右端部が接着剤１４によって凹部６ａに接着されている。
【００３５】
図７は、光源２０を後側に配置したドア１を略示する平面断面図、図８は、光源２０を後側に配置したドア１を略示する前面図である。図７の矢印にて示すように、光源２０をドア１の後側に配置した場合、光源２０から発せられた光は、透光性部材６の後側の露出面６ｂから入射し、透光性部材６の内部を反射しながら前方に進み、透光性部材６の前側の露出面６ｂから出射する。遮光パネル７を迂回するように、光は進行する。そのため、図８のハッチングにて示すように、ドア１を前側から視認した場合、遮光パネル７の右縁部及び左縁部が帯状１６に発光しているように、視認され、採光が実現されると共に、意匠性を向上させることができる。なお不透明カバー１１及び第２不透明カバー１２を白色に着色することによって、透光性部材６の内部を進行する光は、透光性部材６の表面にて反射しやすくなり、ドア１の反対側に光を進めやすくなる。
【００３６】
光源２０をドア１の前側に配置した場合も、後側に配置した場合と同様に、ドア１を後側から視認した場合、遮光パネル７の右縁部及び左縁部が帯状１６に発光しているように、視認される。
【００３７】
実施の形態１に係るドア１にあっては、遮光パネル７が開口８の内側領域を全体的に覆い、外部からの視認を防止し、プライバシー保護を図ることができる。また透光性部材６を通って、遮光パネル７を迂回するように光が通過し、ドアパネル２の前側又は後側に照射され、間接的な採光が可能となる。
【００３８】
また溝状をなす凹部６ａに遮光パネル７が嵌合することによって、遮光パネル７はより確実に透光性部材６に支持される。また透光性部材６の外面に不透明カバー１１を設けることによって、透光性部材６の外面を、接着剤１３を介して板部材３に接着させる場合に、透光性部材６を通して接着剤１３が視認されず、外観意匠性の悪化を防止することができる。
【００３９】
また凹部６ａの内面に不透明な第２不透明カバー１２を設け、第２不透明カバー１２に接着剤１４を設けることによって、遮光パネル７を、接着剤１４を介して凹部６ａに接着させる場合に、透光性部材６を通して接着剤１４が視認されず、外観意匠性の悪化を防止することができる。
【００４０】
また透光性部材６の露出面６ｂが、開口８の内側面と面一になるので、透光性部材６は開口８の内側に向けて突出せず、外観意匠性を向上させることができる。
【００４１】
（実施の形態２）
以下本発明を実施の形態２に係るドア１を示す図面に基づいて説明する。図９は、ドア１を略示する前面図、図１０は、図９に示すＸ−Ｘ線を切断線とした略示拡大部分平面断面図である。実施の形態２に係る構成の内、実施の形態１と同様な構成については同じ符号を付し、その詳細な説明を省略する。実施の形態１と異なり、実施の形態２に係るドア１は一枚のドアパネル２を備え、開口８は縦長の矩形状をなし、上側面、下側面、右側面及び左側面を有する。また板部材３に嵌合凹部３ａが設けられておらず、また開口８の内側面に化粧板５が設けられていない。
【００４２】
開口８の上側面、下側面、右側面及び左側面に亘って、透光性部材６を保持する保持部材１７が設けられている。保持部材１７は縦長矩形の額縁状をなす。保持部材１７の内周面には、縦長矩形状をなす保持溝１７ａが形成されている。保持溝１７ａには、縦長矩形状をなす透光性部材６が嵌合している。透光性部材６の内周面には凹部６ａが形成されており、該凹部６ａに遮光パネル７が嵌合している。
【００４３】
実施の形態２に係るドア１にあっては、保持部材１７を開口８に設けることによって、透光性部材６を保持するために、開口８の内側面を加工する必要がなくなる。また開口８を矩形状に形成し、該開口８の周縁部に額縁状の透光性部材６を設け、透光性部材６の内側に遮光パネル７を設けることによって、ドア１を前側又は後側から視認した場合、遮光パネル７の右縁部及び左縁部のみならず、上縁部及び下縁部も帯状に発光するように、視認され、採光が実現されると共に、遮光パネル７の周縁部全体が発光するように視認され、意匠性を更に向上させることができる。
【００４４】
（実施の形態３）
以下本発明を実施の形態３に係るドア１を示す図面に基づいて説明する。図１１は、ドア１の上部における部分拡大縦断面図である。実施の形態３に係る構成の内、実施の形態１と同様な構成については同じ符号を付し、その詳細な説明を省略する。実施の形態３に係るドア１は、実施の形態１と異なり、光源を備える。
【００４５】
図１１に示すように、連結部材９において、透光性部材６に対向する部分に上下に貫通した貫通孔９ｃが設けられている。透光性部材６には、基板２１及び該基板２１の一面に実装された発光ダイオード２２が取り付けられている。発光ダイオード２２が貫通孔９ｃの内側に配置されるように、基板２１及び発光ダイオード２２は貫通孔９ｃの上側に配置されている。基板２１の左右寸法又は前後寸法は、貫通孔９ｃよりも大きく、貫通孔９ｃの縁に基板２１は係止される。制御部（図示略）からの制御によって、発光ダイオード２２は点灯又は消灯する。発光ダイオード２２は光源を構成する。
【００４６】
なおドアパネル２の下端面を連結部材９によって連結した場合には、同様に、連結部材９に貫通孔を設け、発光ダイオード２２を貫通孔９ｃの下側に配置させればよい。発光ダイオード２２は、光源の一例であり、発光ダイオード２２に代えて、レーザダイオード、有機発光ダイオード、発光ポリマ又は白熱球などを使用してもよい。
【００４７】
実施の形態３に係るドア１にあっては、例えば光源として使用される室内の照明を消灯させた場合でも、透光性部材６に対向配置された発光ダイオード２２から光を照射させることによって、採光を実現することができ、採光のために、室内の照明を点灯させる必要がなくなる。
【００４８】
実施の形態２に示すように、開口８が額縁形である場合は、透光性部材６の端部に対向するように、光源をドアパネル２の内部に埋め込むことによって、上述した効果と同様な効果を得ることができる。
【００４９】
（その他の変更例）
図１２は、その他の採光のための手段を備えたドア１の略示拡大部分平面断面図である。図１２Ａに示すように、平面視において、開口８の形状をくの字形状に形成し、開口８の前後方向中央部に透光性部材６０を配置してもよい。平面視における開口８の形状をくの字形状にすることによって、開口８から直接、ドア１の反対側を視認することはできず、且つ採光は可能となる。
【００５０】
また図１２Ｂに示すような採光のための手段を設けてもよい。即ち、右側のドアパネル２において、板部材３の左側面に凹部３ｃを形成し、この凹部３ｃの底面に挿入溝を形成する。左側のドアパネル２において、板部材３の右側面に凹部３ｃを形成し、この凹部３ｃの底面に挿入溝を形成する。各挿入溝に透光性部材６１の一部を挿入させる。開口８の内側に配置された遮光パネル７０において、前記透光性部材６１に対向する部分に溝７０ａを形成し、該溝７０ａに透光性部材６１の他部を挿入させる。遮光パネル７０によって、開口８から直接、ドア１の反対側を視認することはできず、且つ光は遮光パネル７０を迂回するように進行し、採光は可能となる。
【００５１】
また図１２Ｃに示すような採光のための手段を設けてもよい。即ち、開口８の内側に透光性部材６２を配置し、透光性部材６２の左右両端部を左右の板部材３に支持させる。透光性部材６２の前面の左部及び後面の右部に遮光部材７１を設ける。なお遮光部材７１は前面の右端部には設けられておらず、且つ遮光部材７１は、透光性部材６２の後面の左端部には設けられていない。左右方向中央部において、透光性部材６２の前面の遮光部材７１と、透光性部材６２の後面の遮光部材７１とは前後に重なる。遮光部材７１によって、開口８から直接、ドア１の反対側を視認することはできず、且つ採光は可能となる。なお、透光性部材６２の前面の右部及び後面の左部に遮光部材７１を設けてもよい。
【００５２】
ドア１などの建具以外の他の建築材、例えば間仕切り壁に、上記採光のための構成を設けてもよい。開口８は、縦長の矩形に限定されず、他の形状でもよい。例えば、横長の矩形でもよいし、十字形、円弧形、三角形又は円形などでもよい。
【００５３】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【符号の説明】
【００５４】
１  ドア
２  ドアパネル（面部材）
６  透光性部材
６ａ  凹部
７  遮光パネル（遮光部材）
８  開口
１１  不透明カバー（カバー）
１２  第２不透明カバー（第２カバー）
１７  保持部材
２２  発光ダイオード（光源）
【図１】
2020023799.tif 000003
【図２】
2020023799.tif 000004
【図３】
2020023799.tif 000005
【図４】
2020023799.tif 000006
【図５】
2020023799.tif 000007
【図６】
2020023799.tif 000008
【図７】
2020023799.tif 000009
【図８】
2020023799.tif 000010
【図９】
2020023799.tif 000011
【図１０】
2020023799.tif 000012
【図１１】
2020023799.tif 000013
【図１２】
2020023799.tif 000014